(57)【要約】      （修正有）【課題】鑑賞物（花、絵画、写真、メッセージが記載された紙面等）を容器内部に収容することで、鑑賞物の保存性に優れるとともに、透明材料から構成されているために、採光性に優れ、鑑賞物の陰りなどを防止・低減して鑑賞者が鑑賞物を鑑賞しやすい効果を発揮する鑑賞物収容容器を提供する。【解決手段】鑑賞物を収容するための鑑賞物収容容器１は、少なくとも１つが開閉可能な底面部１０ａおよび内部に鑑賞物を収容するための内部空間部１０ｂを有し、透明材料からなる柱状体と、柱状体の長尺方向に設けられた貫通穴２０とから構成されている。【選択図】図１
0003235221.tif 000002
【実用新案登録請求の範囲】
【請求項１】
鑑賞物を収容するための鑑賞物収容容器であって、
少なくとも１つが開閉可能な底面部（１０ａ）および内部に鑑賞物を収容するための内部空間部（１０ｂ）を有し、透明材料からなる柱状体（１０）と、
当該柱状体（１０）の長尺方向に設けられた貫通穴（２０）とから構成された鑑賞物収容容器。
【請求項２】
更に、前記貫通穴（２０）に発光装置（３０）を有することを特徴とする請求項１に記載の鑑賞物収容容器。
【考案の詳細な説明】
【技術分野】
【０００１】
本考案は、新規な鑑賞物収容容器に関し、より詳細には、鑑賞物の保存性に優れ、鑑賞者もその鑑賞物を鑑賞しやすいという効果を発揮できる鑑賞物収容容器に関する。
【背景技術】
【０００２】
花、絵画、メッセージ、書などの鑑賞物は、一般的に、生け花の場合、花瓶などにいけたり、プリザーブドフラワー等に加工処理されて瓶に密閉したり、あるいは、絵画などの美術品（美術鑑賞物）の場合、額縁の内部に収容されたりした上で、鑑賞者の鑑賞に供される。
【０００３】
たとえば、特許文献１では、長時間切花の鮮度を保つことを目的とした「切り花の支持保存容器」が開示されている。この保存容器は、「上面が開放された不浸水性の器と、この器の下部に充填され、液体が含浸されている浸水性部材と、前記器の上部に前記浸水性部材と接触するように充填され、前記液体の漏水を防ぐ遮断部材とで成り、切花の茎を前記器の開放面から前記遮断部材及び前記浸水性部材にかけて貫装させて支持保存するようにしたことを特徴とする」。
【先行技術文献】
【特許文献】
【０００４】
【特許文献１】特開平１−４９５１０号公報
【０００５】
【考案の概要】
【考案が解決しようとする課題】
【０００６】
しかしながら、特許文献１に開示された保存容器を含め、従来のいずれの保存容器（ビンンなど）も、たとえば、鑑賞物が花である場合、単に、そのまま花瓶に生けると虫等を誘引してしまう上に、外部環境（たとえば湿度、温度、紫外線）などに直接曝されると、花を安定的に保存することが困難であった。また、鑑賞者の中には、鑑賞物に直接触れてしまうこともあり、この接触により、鑑賞物が劣化、汚損などの不具合を生じることもある。
【０００７】
また、プリザーブドフラワーをビンに密閉すると、ビンの外部から光が入るため、鑑賞物内部は光の照射（採光）が不十分であり、鑑賞物の細部まで鑑賞者の鑑賞には至らないこともある。
このような不具合は、容器に収容する対象が、花（生花、プリザーブドフラワー、アーティフィシャルフラワー（造花）など）のみならず、絵画、メッセージが記載された紙などであっても同様に生じるものである。
【０００８】
すなわち、従来の保存容器においては、依然として、保存性と採光性には改善の余地があったといえる。
【０００９】
本考案者は、従来の鑑賞物の保存ビンについて鋭意検討の結果、以下の２点を見出した。
（イ）開閉可能な底面部と内部空間部を有する透明材料製の筒状柱状体の内部空間部を鑑賞物の保存空間として利用することで、鑑賞物の保存性が向上すること
（ロ）さらに、透明材料製の筒状柱状体には、その長尺方向に設けられた貫通穴を有することにより、筒状柱状体外部からの採光のみならず、貫通穴からの採光も追加されるため、採光性が向上すること
を見出した。
【００１０】
すなわち、本考案は、鑑賞物を容器内部に収容することで、鑑賞者による接触や外部環境による劣化・汚損を防ぐという鑑賞物の保存性に優れるとともに、透明材料から構成されているために、鑑賞物の陰りなどを防止・低減して鑑賞者が鑑賞物を鑑賞しやすい効果を発揮できる鑑賞物収容容器を提供することを目的とする。
【課題を解決するための手段】
【００１１】
本考案は、具体的には、以下のとおりである。
［１］  鑑賞物を収容するための鑑賞物収容容器であって、
少なくとも１つが開閉可能な底面部（１０ａ）および内部に鑑賞物を収容するための内部空間部（１０ｂ）を有し、透明材料からなる筒状柱状体（１０）と、
当該筒状柱状体（１０）の長尺方向に設けられた貫通穴（２０）とから構成された鑑賞物収容容器。
【００１２】
［２］更に、前記貫通穴（２０）に発光装置（３０）を有することを特徴とする［１］に記載の鑑賞物収容容器。
【考案の効果】
【００１３】
本考案にかかる鑑賞物収容容器によれば、鑑賞物（花、絵画、写真、メッセージが記載された紙面等）を容器内部に収容することで、鑑賞物の保存性に優れるとともに、透明材料から構成されているために、鑑賞物の陰りなどを防止・低減して鑑賞者が鑑賞物を鑑賞しやすい効果を発揮できる。
【図面の簡単な説明】
【００１４】
【図１】図１は、それぞれ、本考案にかかる鑑賞物収容容器の一態様を示すための概略図である。
【考案を実施するための形態】
【００１５】
以下、本考案にかかる鑑賞物を収容するための鑑賞物収容容器であって、図１の付番１に示されるように、筒状柱状体１０を必須構成要件としているが、必要に応じて、その他の部材（たとえば、後述する光源装置）を有していてもよい。
【００１６】
なお、本考案に係る「鑑賞物収容容器」とは、主に、冠婚葬祭や、卒業式、入学式など各種祭典で使用されるが、特に使用目的は限定されるものではない。また、筒状柱状体１０や底面部１０ａの大きさ・寸法も特に限定されるものではないが、主に、内部空間部に収容する鑑賞物の種類・大きさなどに依存して適宜決定される。
【００１７】
この筒状柱状体１０には、通常２つの底面部を有し、当該底面部のうち、少なくとも１つは、開閉可能な状態となっている。ここで、たとえば、粘着テープやクリップ等で開閉自在にしたり、あるいはネジ式や嵌合構造を有したりすることで開閉可能な状態とすることができる。
なお、底面部の形状は特に限定されないが、円形、楕円形の他、三角形、四角形など多角形や、特殊な形状（たとえば、星形、ハート形、キャラクターを模した平面的もしくは立体的形状など）とすることができる。
【００１８】
また、上述のように、底面部のうち、必要に応じて、２つとも開閉可能な状態となっていてもよいし、１つのみが開閉可能な状態でもう一方は固定されていてもよい。なお、「開閉可能な状態」とは、鑑賞物を内部空間部において収容する際に、底面部２つのうち少なくとも１つを開き、鑑賞物を内部空間部に収容できることを意味し、本考案の容器を鑑賞に供する際には、底面部は、固定された状態（開くことができない状態）になっていてもよい。また、底面部は、筒状柱状体に、ヒンジなど連結部材で連結されていてもよいし（開放時には、連結部材を介して底面部が筒状柱状体に連結している状態）、開放時には、完全に筒状柱状体から分離されるものであってもよい。
【００１９】
内部空間部には、鑑賞物とともに水やグリセリンなどの保存液など液体を注入してもよいが、この場合、少なくとも底面部の１つ（より具体的には、本考案の容器を台などに載置する際に、台に接する面）は、液体が漏れないように、固定されていること、あるいは開閉自在であったとしても、液漏れがないような構成（ゴムパッキン）などを備えることが望ましい。
また、場合によっては、底面部のうち、本考案の容器を台などに載置する際に、台に接する面のみが存在し、上面部分（もう一方の底面部）は存在しなくてもよい。
【００２０】
特に、後述する発光装置（ＬＥＤライト、白熱電球など）を貫通穴に設置する場合も、底面部２つ又は１つが存在しなくてもよいし、存在していてもよい。
このような構成を有することで、鑑賞物を内部に密閉状態で保存することができるため、外部環境に影響されずに、優れた保存性を発揮できる。
【００２１】
図１の付番１０ｂは、内部空間部を示す。内部空間部は、筒状柱状体１０の外側の面と内側の面（後述する貫通穴２０側の面）と上下２つの底面部１０ａから構成された内部空間である。ここで、内部空間部は、花、絵画、メッセージ書面など各種鑑賞物を収容（保管、収容）するために使用される。
【００２２】
また、筒状柱状体は、透明材料から構成されている。透明材料とは、自然光（太陽光など）や照明装置からの光を透過する材料のことであり、具体的には、ガラス、透明樹脂（アクリル系樹脂（ポリメタクリル酸メチル等）、ポリカーボネート、トリアセチルセルロース、シクロオレフィンポリマー、ポリエチレンテレフタレートなど）などが挙げられ、これらは単独又は複数種で使用してもよい。これらのうち、ある程度の強度とともに透明性を有するという点で、ガラスやアクリル系樹脂が好ましい。
【００２３】
また、透明材料には、たとえば透明樹脂の場合、紫外線吸収剤などのフィラーを含むことが望ましい。紫外線吸収剤を含むと、太陽光に由来する紫外線に照射されて鑑賞物が劣化することを防止することができる上に、鑑賞物収容容器の紫外線耐久性の向上、使用可能年数の向上を図ることができる。
【００２４】
なお、筒状柱状体は、全体が透明である必要はなく、外部から鑑賞者が、内部空間部に収容された鑑賞物を鑑賞できる程度に透明部分を有していればよく、必要に応じて不透明な部分が存在してもよい。
【００２５】
また、本考案の鑑賞物収容容器は、図１の付番２０に示されるように、一方の底面部からもう一方の底面部まで（筒状柱状体の長尺方向にかけて）貫通穴を有する。ここで、底面部自体も穴が設けられていてもよいし、底面部は穴が設けられていないものであってもよい。
この貫通穴２０の存在により、本考案の鑑賞物収容容器は、外部からの採光の他に、内部（貫通穴）からの採光（バックライト効果）も可能となり、優れた採光性を発揮することができる。そのため、鑑賞物が非常に明るい条件下に置かれることになり、鑑賞者は、鑑賞物の鑑賞をしやすくなるというメリットがある。
【００２６】
上述のように、貫通穴２０を通じての採光もあるが、貫通穴２０に、ＬＥＤライト、白熱電球などを使用した発光装置を設置してもよい。このような構成にすることで、バックライト効果を更に向上させることができるためである。
【００２７】
また、本考案に係る鑑賞物収容容器は、自立（すなわち、立て掛けたり懸吊したりする必要がなく、容器自体で床や机等の上に置くことができること）させてもよく、スタンド（立て掛け）で立て掛けたり、紐やワイヤなどで懸吊したりしてもよい。
【産業上の利用可能性】
【００２８】
本考案によれば、鑑賞物（花、絵画、写真、メッセージが記載された紙面等）を容器内部に収容することで、鑑賞物の保存性に優れるとともに、透明材料から構成されているために、採光性に優れ、鑑賞物の陰りなどを防止・低減して鑑賞者が鑑賞物を鑑賞しやすい効果を発揮する鑑賞物収容容器を提供することができる。
【符号の説明】
【００２９】
１：本考案に係る鑑賞物収容容器
１０：筒状柱状体
１０ａ：底面部
１０ｂ：内部空間部
２０：貫通穴
３０：発光装置
【図１】
0003235221.tif 000003